(57)【要約】【課題】電源が不要で作業性を向上し、形材の変形を防止する切断工具を提供する。【解決手段】縦片部９と前記縦片部９の下端に左右に突設した横片部10、10とからなる断面逆Ｔ字状の形材としての天井下地材５を位置決めして収容する保持部15と、保持部15に向けて移動して天井下地材５を切断する切断刃16とを備えたことにより、切断工具14が電源不要となり作業性向上し、断面逆Ｔ字状の天井下地材５を位置決めするので、切断時における天井下地材５の変形を防止することができる。【選択図】図１
2018089713.tif 000002
【特許請求の範囲】
【請求項１】
縦片部と前記縦片部の下端に左右に突設した横片部とからなる断面逆Ｔ字状の形材を位置決めして収容する保持部と、
前記保持部に向けて移動して前記形材を切断する切断刃とを備えたことを特徴とする切断工具。
【請求項２】
前記保持部は前記縦片部を収容する縦片用保持部を備えたことを特徴とする請求項１記載の切断工具。
【請求項３】
前記保持部に前記横片部から立設された突条部が係合可能な横片用保持部を備えたことを特徴とする請求項１又は２に記載の切断工具。
【請求項４】
前記切断刃は山型に形成され、
前記切断刃の先端部の軌道を前記縦片部からずらして備えたことを特徴とする請求項１〜３のいずれか１項に記載の切断工具。
【請求項５】
前記形材を前記保持部に収容可能な状態と、
前記形材を切断可能な状態のいずれかに前記切断刃を位置決めする位置決め手段を備えたことを特徴とする請求項１〜４のいずれか１項に記載の切断工具。
【発明の詳細な説明】
【技術分野】
【０００１】
本発明は、例えば、天井下地材として使用される断面逆Ｔ字状の形鋼を簡単且つ確実に切断することのできるハンディータイプの切断工具に関する。
【背景技術】
【０００２】
従来、コンクリート建築物の天井は、通常、その天井スラブ又は天井デッキプレートから吊り下げられたボルトに金具を設けると共に、該金具に一定の間隔をおいて天井下地材を固定して、当該天井下地材に下地ボードや仕上げボード等からなる天井材を一連に張設して、この天井材の裏側に電力の配線管や換気用のダクト等を配設し、天井板自体に開閉可能な点検口又は作業口を開設している（特許文献１参照）。そして、上記の天井下地材には、断面逆Ｔ字状の形鋼が使用されて、一般的には、天井施工に際して、これらの天井下地材を予め回転砥石刃を備える高速切断機を用いて所定の寸法に切断して、後から、これらを天井側に組み付けている。
【先行技術文献】
【特許文献】
【０００３】
【特許文献１】特開２００３−７１１９号公報
【発明の概要】
【発明が解決しようとする課題】
【０００４】
しかし、特許文献１では、電動の高速切断機を用いて天井下地材を切断する場合、電源を用意する必要があり、また電源コードが邪魔になり、作業性が悪く、更に天井下地材の変形の恐れがあるという問題点があった。
【０００５】
そこで、本発明は、電源が不要で作業性を向上し、形材の変形を防止する切断工具を提供することを目的とする。
【課題を解決するための手段】
【０００６】
請求項１の発明は、縦片部と前記縦片部の下端に左右に突設した横片部とからなる断面逆Ｔ字状の形材を位置決めして収容する保持部と、前記保持部に向けて移動して前記形材を切断する切断刃とを備えたことを特徴とする。
【０００７】
請求項２の発明は、前記保持部は前記縦片部を収容する縦片用保持部を備えたことを特徴とする。
【０００８】
請求項３の発明は、前記保持部に前記横片部から立設された突条部が係合可能な横片用保持部を備えたことを特徴とする。
【０００９】
請求項４の発明は、前記切断刃は山型に形成され、前記切断刃の先端部の軌道を前記縦片部からずらして備えたことを特徴とする。
【００１０】
請求項５の発明は、前記形材を前記保持部に収容可能な状態と、前記形材を切断可能な状態のいずれかに前記切断刃を位置決めする位置決め手段を備えたことを特徴とする。
【発明の効果】
【００１１】
請求項１の発明によれば、電源不要となり作業性が向上するとともに、断面逆Ｔ字状の形材を位置決めするので、切断時の形材の変形を防止することができる。
【００１２】
請求項２の発明によれば、切断時における形材の縦片部の変形を防止することができる。
【００１３】
請求項３の発明によれば、切断時における形材の横片部の変形を防止することができる。
【００１４】
請求項４の発明によれば、切断時の形材の変形を防止ししつつ、スムーズに形材を切断することができる。
【００１５】
請求項５の発明によれば、形材の収容と、形材の位置決めを容易に行うことができる。
【図面の簡単な説明】
【００１６】
【図１】本発明の第１実施例における切断工具の使用状態を示す斜視図である。
【図２】同上、切断工具の斜視図である。
【図３】同上、切断工具の正面図である。
【図４】同上、切断工具の背面図である。
【図５】同上、図３における切断工具のＡ−Ａ断面図である。
【図６】同上、図５においてピンを大径部から外した状態を示す切断工具の断面図である。
【図７】同上、切断工具の刃を落とした状態を示す正面図である。
【図８】同上、切断工具の作業状態を示す正面図である。
【図９】同上、切断刃を最上部まで上げた状態を示す切断工具の正面図である。
【図１０】同上、操作部の別の実施形態を示す切断工具の正面図である。
【発明を実施するための最良の形態】
【００１７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１８】
図１〜図１０は本発明の実施例１を示すものであり、まず本実施形態に係る天井構造について説明する。天井構造の一例としては、上階床スラブから垂設された吊りボルトに装着された金具からなるハンガー部材に把持されて天井裏で正方形の格子状に組み付けられた天井下地材５を備えている。
【００１９】
ここで、天井下地材５は格子状に配列されており、格子状に組み付けられた天井下地材５で構成されるブロック（区画）には、天井パネル７や音響機器、照明機器、消火機器等の各種設備が搭載された設備プレートが設置される。
【００２０】
天井下地材５は、スチール製の板材を折り曲げした加工物やアルミニウム製の押出形材等を断面略逆Ｔ字形状としたＴバー等からなり、上下方向に延設された縦片部９と、縦片部９の下部から水平方向に延設されたフランジ状の横片部10とを備えている。
【００２１】
縦片部９の上端には二股状に上方に平行に延設された一対の上側突条11，11が上方で連結して形成された頭部12を備えており、この頭部12はハンガー部材４に把持可能に形成されたものである。また、横片部10の幅方向（図中、Ｙ方向）両端には、上方に立設された下側突条13,13が形成されており、天井下地材５の強度を向上させる補強リブの役目を果している。
【００２２】
横片部10に天井パネル７又は設備プレートがビス止め又は載置される。尚、天井下地材５の形状は、前記形状に限定されるものではなく、突条を有さない形状であってもよい。
【００２３】
次に、本実施形態に係る切断工具14について説明する。切断工具14は、形材である天井下地材５を位置決めして保持する保持部15と、保持部15で保持された天井下地材５を切断する切断刃16と、切断刃16を操作する操作部17とを備えている。
【００２４】
保持部15は、第１の外板材18と、第２の外板材19と間にスペース材20を配置し、第１の外板材18と第２の外板材19との間に切断刃16が進退動可能なガイド溝21を形成し、ガイド溝21の途中で切断刃16を露出させる開口部22とを備えた中空体からなる。
【００２５】
第１の外板材18は、天井下地材５を保持する第１の保持溝部23が形成された上部24と、一方の側面を切り欠いて第１の保持溝部23と連続して形成された第１の開口部25を備えた中間部26と、保持部15の上下方向と平行に形成された第１の保持側長穴27を備えた下部28からなる略コ型形状を有している。
【００２６】
第２の外板材19は、天井下地材５を保持する第２の保持溝部29が形成された上部30と、一方の側面を切り欠いて第２の保持溝部29と連続して形成された第２の開口部31を備えた中間部32と、保持部15の上下方向と平行に形成された第２の保持側長穴33を備えた下部34からなる略コ型形状を有している。
【００２７】
尚、第２の外板材19の上部30の下端は、第１の外板材18の上部24の下端より、下方へ長く突出している。
【００２８】
更に、第２の外板材19の中間部32の他方の側面の上部30との境界部分から下方へ所定間隔をおいて第２の開口部31と連続させて形成した切欠部35を備えている。切欠部35の縦方向の間隔は、天井パネル７の厚み以上に形成されている。
【００２９】
スペース材20は、切断刃16の山形状の上部を受ける凹部36が形成された上部37と、第１の外板部18と第２の外板部19のそれぞれの中間部26、32に対応する中間部38と、第１の外板部18と第２の外板部19のそれぞれの下部28、34の一方の側面側と他方の側面側にそれぞれ対応した一側側面部39と他側側面部40とを備え、一側側面部39と他側側面部40との間に前記ガイド溝21を形成する下部41とを備えた鋼板からなる。
【００３０】
第１の保持溝部23は、第１の外板材18の上部24の下端から上方へむけて切り欠いて形成されたものであり、天井下地材５の縦片部９を保持可能な形状に切り欠いて形成された第１の縦片用溝部42からなる。
【００３１】
第２の保持溝部29は、第２の外板材19の上部24の下端から上方へむけて切り欠いて形成されたものであり、天井下地材５の縦片部９を保持可能な形状に切り欠いて形成された第２の縦片用溝部43と、第２の外板材19の第２の縦片用溝部43の両側に対の関係にある４本の横片用溝部44からなり、４本の横片用溝部44を一定の間隔をおいて形成して、切断対象となる天井下地材５の横片部10の幅寸法に応じて適宜選択することにより、形状の異なる天井下地材５を個々に保持可能な構成としている。
【００３２】
第１の縦片用溝部42は、縦寸法を縦片部９の高さ寸法と同様か或いは大きく形成し、横寸法を縦片部９の頭部12の幅寸法より大きく形成された矩形状に切り欠いた溝となっている。
【００３３】
第２の縦片用溝部43は、縦寸法を縦片部９の高さ寸法と同様か或いは大きく形成し、横寸法を縦片部９の頭部12の幅寸法より大きく形成された矩形状に切り欠いた溝において、溝の上部の開口部側を、溝の上端から天井下地材５の上側突条11の高さ以上の縦寸法だけ横方向へ平行に突出させて、その上部の幅寸法を拡大させて切り欠き係合部45を形成し、第２の縦片用溝部43全体を鍵形に形成されている。
【００３４】
切断刃16は、ガイド溝21内を摺動するもので、第１の保持溝部23及び第２の保持溝部29に対向している。
【００３５】
この切断刃16は、鋼板によって形成され、ほぼ中央に鋭利な先端部46が形成され、この先端部46の左右に暫時後退する切断面47、48が形成された山形状に形成された片刃となっている。切断刃16のテーパ面49を第１の外板材18に向けている。
【００３６】
この切断刃16は、先端部46の位置を第１の縦片用溝部42および第２の縦片用溝部43における中心から上部24、30の閉鎖側にずらしている。
【００３７】
切断刃16の左右の切断面47、48は、切断刃16における先端部46の移動方向を示す移動線Ｌと交差する傾斜角α、βが異なる角度に設定されている。
【００３８】
切断刃16の基端部50には、刃側長穴51が形成されており、この刃側長穴51の基端側には、刃側長穴51の幅より大きな直径を有する円弧状の大径部52が形成されている。刃側長穴51の長さ方向は、切断刃16の移動線Ｌと平行に形成されている。
【００３９】
また、保持部15の基端部53にある第１の保持側長穴27及び第２の保持側長穴33は、刃側長穴51の幅と略同一かそれ以上の幅に形成されている。保持側長穴54の長さ方向は、切断刃16の移動線Ｌと平行に形成されている。
【００４０】
操作部17は、保持部15の下部の閉塞側に固着された固定ハンドル55と、保持部15の下部の開口部22側に軸56に回動可能に支承された可動ハンドル57とを備えている。
【００４１】
可動ハンドル57の軸56まわりには、略Ｌ状のフレーム58が突設されており、このフレーム58には円弧状のハンドル側長穴59が形成されている。
【００４２】
ハンドル側長穴59は、保持側長穴54の長手方向の中心線Ｍ上に中心点を有し、軸56と保持側長穴54の最下点とを通過する仮想線Ｎに示す円上において、前記最下点から前記円と軸56を中心とし半径が軸56から長手方向の中心線上までの距離よりわずかに小さな円（仮想線Ｒ）とが交差する点にかけて形成された円弧状に形成された溝である。
【００４３】
ハンドル側長穴59と保持側長穴54と刃側長穴51には、ピン60が挿通されている。
【００４４】
ピン60は、ハンドル側長穴59内及び保持側長穴54内を摺動可能、且つ大径部52に係合可能な径に形成された円柱状となっている。
【００４５】
ピン60の中間部分における周壁には、刃側長穴51に係合する係合溝部61が形成されている。
【００４６】
ピン60の第１の外板材18側は保持側長穴54の幅より大きな外径に形成されたピン側大径部62を備えるとともに、ピン60の第２の外板材19側には保持側長穴54の幅より大きな外径に形成され一方を閉塞した中空円筒状のカバー材63が外嵌されている。
【００４７】
カバー材63とピン60との隙間には、ピン60を第２の外板材19側に付勢する弾性部材たるコイルバネ64が収容されている。ピン側大径部62には摘み部65が装着されている。
【００４８】
以上の構成の切断工具14の作用効果について説明する。切断刃16の位置調節方法について説明する。まず、切断刃16を落とした状態とするには、可動ハンドル57を開いた状態で、ピン60の係合溝部61を刃側長穴51に係合させた状態のまま、図７に示すようにピン60が刃側長穴51の最上部に来るまで切断刃16を下降させると、切断刃16が保持部15の下部に隠れて、開口部22が最大限まで開放される。この切断刃16を落とした状態で、開口部22に天井下地材５を収容することが可能となる。
【００４９】
次に、天井下地材５を切断する作業状態とするには、可動ハンドル57を開いた状態で、ピン60を刃側長穴51の大径部51に係合させると、図８に示すように切断刃16を最も下降させた状態でも、切断刃16の先端部46と保持部15の上部の下端との上下方向の距離は、天井下地材５の高さより小さくなり、天井下地材５を第１の保持溝部23及び第２の保持溝部29に位置決めすると、開口部22から天井下地材５が離脱することがなくなる。
【００５０】
第１の保持溝部23及び第２の保持溝部29に位置決めされた天井下地材５は、縦片部９は第１の縦片用溝部42及び第２の縦片用溝部43内に係合し、横片部10の下側突条13は横片用溝部44に係合する。また、切欠部35に天井パネルが当接して位置決めされる。
【００５１】
図８の作業状態から図９に示すように可動ハンドル57を閉じて、切断刃16を上昇させて天井下地材５を切断する様子について説明する。まず、先端部46が閉塞側の横片部10に刺さる。さらに切断刃16が上昇すると、切断面47、48によって各横片部10が切断されるとともに、切断面16によって天井下地材５が第２の縦片用溝部43内で開口部22側に押し上げられると頭部12が係合部45に係合して、縦片部９が第２の縦片用溝部43に位置決めされる。さらに切断刃16が上昇して天井下地材５が完全に切断されると、テーパ面49側の天井下地材５が離脱する。
【００５２】
フレーム58のハンドル側長穴59が円弧状に形成されたことで、ピン60とハンドル側長穴59との接触面積が増大し、可動ハンドル57からの力を切断刃16に効率的に伝達し、天井下地材５を効果的に切断することができる。
【００５３】
以上のように本実施例は、縦片部９と前記縦片部９の下端に左右に突設した横片部10、10とからなる断面逆Ｔ字状の形材として天井下地材５を位置決めして収容する保持部15と、保持部15に向けて移動して天井下地材５を切断する切断刃16とを備えたことにより、切断工具14が電源不要となり作業性向上し、断面逆Ｔ字状の天井下地材５を位置決めするので、切断時における天井下地材５の変形を防止することができる。
【００５４】
また、保持部15は天井下地材５の縦片部９を収容する縦片用保持部として第１の縦片用溝部42及び第２の縦片用溝部43を備えたことにより、切断時における天井下地材５の縦片部９の変形を防止することができる。
【００５５】
また、天井下地材５は、横片部10から立設された下側突条13とを備え、保持部15に下側突条が係合される横片用保持部として横片用溝部44を備えたことにより、切断時における天井下地材５の横片部10の変形を防止することができる。
【００５６】
また、切断刃16は山型に形成され、切断刃16の先端部46の軌道を縦片部９からずらして備えたことにより、切断時の天井下地材５の変形を防止しつつ、スムーズに天井下地材５を切断することができる。
【００５７】
また、切断刃16を落として保持部15に天井下地材５を収容する状態と、切断刃16で天井下地材５を切断可能な状態とのいずれかに切断刃16を位置決めする位置決め手段として刃側長穴51、大径部52及びピン60を備えたことにより、天井下地材５の収容と、天井下地材５の位置決めを容易に行うことができる。
【００５８】
尚、第２の外板材19の上部30の第２の縦片用溝部43及び横片用溝部44は、天井下地材５の縦片部９及び横片部10に形状に模して形成されているため、保持部15において様々な形状の天井下地材５の縦片部９及び横片部10の形状に適合する第２の縦片用溝部43及び横片用溝部44を備えた第２の外板材19の上部30を複数用意して、適宜交換してもよい。
【００５９】
また、操作部17の固定ハンドル55及び可動ハンドル57の形状は、図１０に示すように湾曲していても、その他の形状でも良いものとする。
【００６０】
本発明は上記各実施例に限定されるものではなく、本発明の要旨の範囲内において種々の変形実施が可能である。保持部の形状、切断刃の形状等は適宜変更可能である。
【符号の説明】
【００６１】
５  天井下地材（形材）
９  縦片部
10  横片部
13  下側突条
14  切断工具
15  保持部
16  切断刃
42  第１の縦片用溝部（縦片用保持部）
43  第２の縦片用溝部（縦片用保持部）
44  横片用溝部（横片用保持部）
51  刃側長穴（位置決め手段）
52  大径部（位置決め手段）
60  ピン（位置決め手段）
【図１】
2018089713.tif 000003
【図２】
2018089713.tif 000004
【図３】
2018089713.tif 000005
【図４】
2018089713.tif 000006
【図５】
2018089713.tif 000007
【図６】
2018089713.tif 000008
【図７】
2018089713.tif 000009
【図８】
2018089713.tif 000010
【図９】
2018089713.tif 000011
【図１０】
2018089713.tif 000012